【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
組成中に水素原子を含む発電用燃料が供給され、該発電用燃料を所定の化学反応により改質して、水素を含む改質ガスを生成する改質手段と、
複数の特定物質除去部を具備し、前記改質ガスに含まれる特定物質を除去する除去手段と、
前記除去手段を介した後の前記改質ガスに含まれる前記特定物質の濃度を検出する濃度検出手段と、
前記除去手段に具備された前記複数の特定物質除去部への前記改質ガスの供給経路を切り換える流路切換手段と、
少なくとも、前記濃度検出手段により検出された前記特定物質の濃度に応じて、前記流路切換手段を制御して、前記複数の特定物質除去部への前記改質ガスの供給状態を切り換え、前記複数の特定物質除去部のうちの何れかの前記特定物質除去部へ前記改質ガスを供給し、前記特定物質の濃度が所定の規定値を超えたときに当該特定物質除去部への前記改質ガスの供給を停止させ、前記複数の特定物質除去部のうちの他の前記特定物質除去部へ前記改質ガスを供給する制御手段と、
前記改質ガスの供給が停止された前記特定物質除去部における特定物質除去能力を回復させる回復手段と、
を備えることを特徴とする電源システム。
【請求項２】
前記除去手段は、前記複数の特定物質除去部が並列に配置され、前記制御手段は、前記濃度検出手段により検出された前記特定物質の濃度に応じて、前記流路切換手段を制御して、前記複数の特定物質除去部の少なくともいずれか一方に、前記改質ガスを供給することを特徴とする請求項１記載の電源システム。
【請求項３】
前記制御手段は、前記濃度検出手段により検出された前記特定物質の濃度に応じて、前記流路切換手段を制御して、前記複数の特定物質除去部の各々に、前記改質ガスを分岐して供給することを特徴とする請求項２記載の電源システム。
【請求項４】
前記回復手段は、前記複数の特定物質除去部の各々に、当該特定物質除去部における前記特定物質を除去する能力を回復させるための回復物質を添加する添加手段を備え、前記制御手段は、前記添加手段を制御して、少なくとも、前記流路切換手段を制御することにより、前記改質ガスが供給されていない前記特定物質除去部に前記回復物質を添加することを特徴とする請求項１乃至３のいずれかに記載の電源システム。
【請求項５】
前記回復物質は、酸素であることを特徴とする請求項４記載の電源システム。
【請求項６】
前記特定物質は、一酸化炭素であることを特徴とする請求項１乃至５のいずれかに記載の電源システム。
【請求項７】
前記電源システムは、前記除去手段を介した後の前記改質ガスに含まれる水素を用いて電気エネルギーを生成する発電手段を備えることを特徴とする請求項６記載の電源システム。
【請求項８】
前記発電手段は、固体高分子型の燃料電池であることを特徴とする請求項７記載の電源システム。
【請求項９】
組成中に水素原子を含む発電用燃料を改質して、前記水素を生成し、該水素を用いて電気エネルギーを発生させる電源システムの制御方法において、
前記発電用燃料を所定の化学反応により改質して、前記水素を含む改質ガスを生成するステップと、
複数の特定物質除去部を具備した除去手段により、前記改質ガスに含まれる特定物質を除去するステップと、
発電手段により、前記除去手段を介した後の前記改質ガスに含まれる水素を用いて前記電気エネルギーを生成するステップと、
前記除去手段を介した後の前記改質ガスに含まれる前記特定物質の濃度を検出するステップと、
前記特定物質の濃度に応じて、前記複数の特定物質除去部への前記改質ガスの供給状態を切り換え、前記複数の特定物質除去部のうちの何れかの前記特定物質除去部へ前記改質ガスを供給し、前記特定物質の濃度が所定の規定値を超えたときに当該特定物質除去部への前記改質ガスの供給を停止させ、前記複数の特定物質除去部のうちの他の前記特定物質除去部へ前記改質ガスを供給するステップと、
前記改質ガスの供給が停止された前記特定物質除去部に、当該特定物質除去部の特定物質除去能力を回復させるための回復物質を添加するステップと、
を含むことを特徴とする電源システムの制御方法。
【請求項１０】
前記複数の特定物質除去部への前記改質ガスの供給状態を切り換えるステップは、前記特定物質の濃度に応じて、前記複数の特定物質除去部の少なくともいずれか一方に、前記改質ガスを供給するステップを含むことを特徴とする請求項９記載の電源システムの制御方法。
【請求項１１】
前記複数の特定物質除去部への前記改質ガスの供給状態を切り換えるステップは、前記特定物質の濃度に応じて、前記複数の特定物質除去部の各々に、前記改質ガスを分岐して供給するステップを含むことを特徴とする請求項１０記載の電源システムの制御方法。
【手続補正２】
【補正対象書類名】明細書
【補正対象項目名】００１８
【補正方法】変更
【補正の内容】
【００１８】
請求項１記載の発明は、組成中に水素原子を含む発電用燃料が供給され、該発電用燃料を所定の化学反応により改質して、水素を含む改質ガスを生成する改質手段と、複数の特定物質除去部を具備し、前記改質ガスに含まれる特定物質を除去する除去手段と、前記除去手段を介した後の前記改質ガスに含まれる前記特定物質の濃度を検出する濃度検出手段と、前記除去手段に具備された前記複数の特定物質除去部への前記改質ガスの供給経路を切り換える流路切換手段と、少なくとも、前記濃度検出手段により検出された前記特定物質の濃度に応じて、前記流路切換手段を制御して、前記複数の特定物質除去部への前記改質ガスの供給状態を切り換え、前記複数の特定物質除去部のうちの何れかの前記特定物質除去部へ前記改質ガスを供給し、前記特定物質の濃度が所定の規定値を超えたときに当該特定物質除去部への前記改質ガスの供給を停止させ、前記複数の特定物質除去部のうちの他の前記特定物質除去部へ前記改質ガスを供給する制御手段と、前記改質ガスの供給が停止された前記特定物質除去部における前記特定物質を除去する能力を回復させる回復手段と、を備えることを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
請求項４記載の発明は、請求項１乃至３のいずれかに記載の電源システムにおいて、前記回復手段は、前記複数の特定物質除去部の各々に、当該特定物質除去部における前記特定物質を除去する能力を回復させるための回復物質を添加する添加手段を備え、前記制御手段は、前記添加手段を制御して、少なくとも、前記流路切換手段を制御することにより、前記改質ガスが供給されていない前記特定物質除去部に前記回復物質を添加することを特徴とする。
【手続補正５】
【補正対象書類名】明細書
【補正対象項目名】００２２
【補正方法】変更
【補正の内容】
【００２２】
請求項５記載の発明は、請求項４記載の電源システムにおいて、前記回復物質は、酸素であることを特徴とする。
請求項６記載の発明は、請求項１乃至５のいずれかに記載の電源システムにおいて、前記特定物質は、一酸化炭素であることを特徴とする。
【手続補正６】
【補正対象書類名】明細書
【補正対象項目名】００２３
【補正方法】変更
【補正の内容】
【００２３】
請求項７記載の発明は、請求項６記載の電源システムにおいて、前記電源システムは、前記除去手段を介した後の前記改質ガスに含まれる水素を用いて電気エネルギーを生成する発電手段を備えることを特徴とする。
請求項８記載の発明は、請求項７記載の電源システムにおいて、前記発電手段は、固体高分子型の燃料電池であることを特徴とする。
【手続補正７】
【補正対象書類名】明細書
【補正対象項目名】００２４
【補正方法】変更
【補正の内容】
【００２４】
請求項９記載の発明は、組成中に水素原子を含む発電用燃料を改質して、前記水素を生成し、該水素を用いて電気エネルギーを発生させる電源システムの制御方法において、前記発電用燃料を所定の化学反応により改質して、前記水素を含む改質ガスを生成するステップと、複数の特定物質除去部を具備した除去手段により、前記改質ガスに含まれる特定物質を除去するステップと、発電手段により、前記除去手段を介した後の前記改質ガスに含まれる水素を用いて前記電気エネルギーを生成するステップと、前記除去手段を介した後の前記改質ガスに含まれる前記特定物質の濃度を検出するステップと、前記特定物質の濃度に応じて、前記複数の特定物質除去部への前記改質ガスの供給状態を切り換え、前記複数の特定物質除去部のうちの何れかの前記特定物質除去部へ前記改質ガスを供給し、前記特定物質の濃度が所定の規定値を超えたときに当該特定物質除去部への前記改質ガスの供給を停止させ、前記複数の特定物質除去部のうちの他の前記特定物質除去部へ前記改質ガスを供給するステップと、前記改質ガスの供給が停止された前記特定物質除去部に、当該特定物質除去部の特定物質除去能力を回復させるための回復物質を添加するステップと、を含むことを特徴とする。
【手続補正８】
【補正対象書類名】明細書
【補正対象項目名】００２５
【補正方法】変更
【補正の内容】
【００２５】
請求項１０記載の発明は、請求項９記載の電源システムの制御方法において、前記複数の特定物質除去部への前記改質ガスの供給状態を切り換えるステップは、前記特定物質の濃度に応じて、前記複数の特定物質除去部の少なくともいずれか一方に、前記改質ガスを供給するステップを含むことを特徴とする。
【手続補正９】
【補正対象書類名】明細書
【補正対象項目名】００２６
【補正方法】変更
【補正の内容】
【００２６】
請求項１１記載の発明は、請求項１０記載の電源システムの制御方法において、前記複数の特定物質除去部への前記改質ガスの供給状態を切り換えるステップは、前記特定物質の濃度に応じて、前記複数の特定物質除去部の各々に、前記改質ガスを分岐して供給するステップを含むことを特徴とする。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】変更
【補正の内容】
【００２８】
本発明に係る電源システム及びその駆動制御方法においては、発電用燃料を改質して改質ガスを生成する改質手段（燃料改質器）の後段に、改質ガスに含まれる特定物質（一酸化炭素ＣＯ）を除去する、複数の特定物質除去部（ＣＯ除去器）を具備する除去手段と、当該除去手段により特定物質（一酸化炭素ＣＯ）の除去処理が施された改質ガスに含まれる特定物質の濃度（一酸化炭素濃度）を検出する濃度検出手段（ＣＯ濃度計）と、除去手段の複数の特定物質除去部への改質ガスの供給状態を切り換える切換手段（切換バルブ）と、複数の特定物質除去部の少なくとも何れか一方における特定物質を除去する能力を回復させる回復手段と、を備え、濃度検出手段により検出される特定物質の濃度に基づいて各特定物資除去部における特定物質除去能力の劣化状態を判断して、例えば、並列に配置された複数の特定物資除去部を交互に切り換えて、特定物質除去能力が劣化した特定物資除去部への改質ガスの供給を停止させて他の特定物資除去部に改質ガスを供給し、回復手段により、特定物質除去能力が劣化して改質ガスの供給が停止された特定物資除去部に対し、酸化剤（酸素等）を添加するとともに所定の温度条件に設定することにより、低下した特定物質除去能力を回復させることにより、常に正常な特定物質除去能力を有する特定物資除去部により特定物質の除去処理を実行することができるので、発電手段に供給される改質ガスに含まれる特定物質の濃度の上昇を抑制し、発電性能の劣化を抑制して、所望の電気エネルギーを安定的に生成することができる。